(57)【要約】【課題】  高い洗浄力を維持したまま、洗浄中の食器などのぬるつきを抑制した液体洗浄剤組成物の提供。【解決手段】  (a)一般式(1)の化合物0.1〜10質量％、(b)エタノール等から選ばれる水溶性溶剤２〜15質量％、(c)ハイドロトロープ剤１〜６質量％、(d)炭素数10〜18の炭化水素基を有する陰イオン界面活性剤５〜50質量％、(e)炭素数８〜18の炭化水素基を有するアミンオキシド型界面活性剤等から選ばれる界面活性剤0.1〜30質量％、並びに水を含有し、(a)〜(c)成分の合計含有量が14質量％を超え、20質量％以下であり、且つ20℃における粘度が70mPa・sを超え、200mPa・s未満である液体洗浄剤組成物。  Ｒ１ａ−Ａ−Ｂ  (1)〔Ｒ１ａは３級炭素等を１つ以上有する炭素数７〜10のアルキル基、Ａは−Ｏ−等から選ばれる基、Ｂはヒドロキシル基を２〜10個有する総炭素数３〜12の基等から選ばれる基である。〕【選択図】  なし 【特許請求の範囲】
【請求項１】
（ａ）下記一般式（１）の化合物を０．１〜１０質量％、
（ｂ）エタノール、プロパノール、エチレングリコール、プロピレングリコールから選ばれる水溶性溶剤を２〜１５質量％、
（ｃ）ハイドロトロープ剤を１〜６質量％、
（ｄ）炭素数１０〜１８の炭化水素基を有する陰イオン界面活性剤を５〜５０質量％、
（ｅ）炭素数８〜１８の炭化水素基を有するアミンオキシド型界面活性剤、両性界面活性剤、及びアルカノールアミド型界面活性剤から選ばれる界面活性剤を０．１〜３０質量％、並びに水を含有し、
（ａ）、（ｂ）及び（ｃ）成分の合計含有量が１４質量％を超え、２０質量％以下であり、且つ、２０℃における粘度が７０ｍＰａ・ｓを超え、２００ｍＰａ・ｓ未満である液体洗浄剤組成物。
Ｒ１ａ−Ａ−Ｂ      （１）
〔式中、Ｒ１ａは３級炭素又は４級炭素を１つ以上有する炭素数７〜１０のアルキル基であり、Ａは−Ｏ−、−ＣＯＯ−、−ＣＯＮＨ−から選ばれる基である。また、Ｂはヒドロキシル基を２〜１０個有する総炭素数３〜１２の基、もしくは−（Ｒ１ｂＯ）ａ−Ｈ（ここでＲ１ｂは炭素数２又は３のアルキレン基であり、ａは平均付加モル数であり、１〜５の数を示す）から選ばれる基である。〕
【請求項２】
組成物を水で希釈した場合の２０℃における粘度と未希釈の組成物の２０℃における粘度との粘度比が、希釈濃度１００％未満〜希釈濃度３０％以上の範囲内において、０．７〜１．３の範囲にある請求項１記載の液体洗浄剤組成物。
【発明の詳細な説明】
【技術分野】
【０００１】
本発明は、液体洗浄剤組成物、特に台所まわり、食器や調理器具等の硬質表面の洗浄に適した液体洗浄剤組成物に関する。
【背景技術】
【０００２】
食器洗い用洗浄剤には、粘度を制御することで洗浄力を向上させる技術が知られている。（特許文献１〜９）そして、アルキルグリセリルエーテルを液体洗浄剤に用いる技術が知られており（特許文献１０〜１２）、アルキルグリコシド型界面活性剤も液体洗浄剤に広く使用されており（特許文献１３〜１７）、更にポリオキシアルキレン型非イオン界面活性剤も液体洗浄剤に通常よく用いられる界面活性剤である。（特許文献１８〜２２）
【特許文献１】特開２００２−２１２６００号公報
【特許文献２】特開２００２−１９４３８８号公報
【特許文献３】特開２００２−２２６９００号公報
【特許文献４】特開２００２−２３５１００号公報
【特許文献５】特開２００２−２５６２８６号公報
【特許文献６】特開２００２−２５６２９９号公報
【特許文献７】特開２００２−３２７１９４号公報
【特許文献８】特開２００３−１３８２９７号公報
【特許文献９】特表平１１−５０３４７７号公報
【特許文献１０】特開２００１−１９９９３号公報
【特許文献１１】特開２００１−４９２９１号公報
【特許文献１２】特開平１１−３１０７９２号公報
【特許文献１３】特表平８ −５０２５４０号公報
【特許文献１４】特表平８ −５０２３１０号公報
【特許文献１５】特表平８ −５０１８１７号公報
【特許文献１６】特開平５ −１４８４９４号公報
【特許文献１７】特開２０００ −２６８８９号公報
【特許文献１８】特開２００２ −２２６８８７号公報
【特許文献１９】特開平７ −１８８６９７号公報
【特許文献２０】特開平６ −１１６５８７号公報
【特許文献２１】特表平８ −５０２５４０号公報
【特許文献２２】特開２００３ −１３０９２号公報
【発明の開示】
【発明が解決しようとする課題】
【０００３】
食器洗い用洗浄剤等の液体洗浄剤組成物には、洗浄時に泡立ち性及び泡持ち性が要求され、これらの課題を解決する目的からは、アミンオキシド型界面活性剤を増泡剤として併用することが好ましい。アミンオキサイドは泡特性のみならず、陰イオン界面活性剤と併用することで洗浄力も向上させる。これはアミンオキサイドが、中・酸性領域において陽イオン性の性質を持つため、陰イオン界面活性剤の陰イオンとイオン性のコンプレックスを形成し、これにより油に対する乳化力が向上し、結果として洗浄力が向上するものと思われる。
【０００４】
また、近年、界面活性剤の濃度を高めることでコンパクト化した濃縮タイプの液体洗浄剤が好まれて使用されている。このような濃縮化の傾向があるにもかかわらず、食器洗い用洗浄剤の使用方法は、以前にも増してスポンジに洗浄剤を直接塗付して洗浄する方法が一般化してきており、硬質表面に高濃度の界面活性剤が接触しやすくなっている。
【０００５】
高濃度の界面活性剤と硬質表面の接触は、硬質表面に付着した油汚れを除去しやすくする一方で、過剰な界面活性剤が、特に濯ぎ時におけるぬるつきの問題を発生させる原因となる。ぬるつきとは、指や掌等の身体と洗浄対象表面との間で感じられるものであり、洗浄剤がまるで油膜として平滑な被洗浄表面に存在するような感触である。基本的にぬるつきは、濯ぎを充分に行なうこと（通常の濯ぎ時間よりも濯ぎ時間を長くすること）で解消できるが、濯ぎ時のなかなか拭えないぬるつき感は好ましいものではなく、濯ぎ時間の増加による濯ぎ水の浪費にも繋がる。
【０００６】
ぬるつきは、アミンオキサイド型界面活性剤を使用することでより顕著になる。原因としては、アミオキサイド型界面活性剤自体が他の界面活性剤と比較してぬるつき易い性質を示すことが挙げられるが、前記コンプレックスの形成も影響していることが推測される。アミンオキシド型界面活性剤の量を低減化すると濯ぎ時のぬるつきは改善されるものの、洗浄力が損なわれる。
【０００７】
また、本発明者らは、先に特許文献１において、希釈により増粘する組成物が高い洗浄力を得ることができることを開示しており、これは、増粘することによりスポンジなどの可撓性吸収体に組成物が保持され、組成物の放出を制御するという優れた技術である。しかしながら、組成物が希釈されずに洗浄対象物に付着してしまい、それがぬるつきなど原因になる場合がある。
【０００８】
本発明は、高い洗浄力を維持したまま、洗浄中の食器などのぬるつきを抑制し、濯ぎ時にぬるつきが容易に取り除かれる、可撓性吸収体に直接含浸させ、水と伴に被洗浄物表面を擦ることにより洗浄する方法に適した液体洗浄剤組成物を提供することを課題とする。
【課題を解決するための手段】
【０００９】
本発明は、課題の解決手段として、
（ａ）下記一般式（１）の化合物を０．１〜１０質量％、
（ｂ）エタノール、プロパノール、エチレングリコール、プロピレングリコールから選ばれる水溶性溶剤を２〜１５質量％、
（ｃ）ハイドロトロープ剤を１〜６質量％、
（ｄ）炭素数１０〜１８の炭化水素基を有する陰イオン界面活性剤を５〜５０質量％、
（ｅ）炭素数８〜１８の炭化水素基を有するアミンオキシド型界面活性剤、両性界面活性剤、及びアルカノールアミド型界面活性剤から選ばれる界面活性剤を０．１〜３０質量％、並びに水を含有し、
（ａ）、（ｂ）及び（ｃ）成分の合計含有量が１４質量％を超え、２０質量％以下であり、且つ、２０℃における粘度が７０ｍＰａ・ｓを超え、２００ｍＰａ・ｓ未満である液体洗浄剤組成物を提供する。
【００１０】
Ｒ１ａ−Ａ−Ｂ      （１）
〔式中、Ｒ１ａは３級炭素又は４級炭素を１つ以上有する炭素数７〜１０のアルキル基であり、Ａは−Ｏ−、−ＣＯＯ−、−ＣＯＮＨ−から選ばれる基である。また、Ｂはヒドロキシル基を２〜１０個有する総炭素数３〜１２の基、もしくは−（Ｒ１ｂＯ）ａ−Ｈ（ここでＲ１ｂは炭素数２又は３のアルキレン基であり、ａは平均付加モル数であり、１〜５の数を示す）から選ばれる基である。〕
【発明の効果】
【００１１】
本発明の液体洗浄剤組成物によれば、洗浄性が良く、洗浄時には食器や調理器具等の硬質表面のぬるつきが少なく、濯ぎ時にはぬるつきが速やかに除かれる。
【発明を実施するための最良の形態】
【００１２】
＜（ａ）成分＞
本発明の（ａ）成分は一般式（１）の化合物であり、特定の分岐型アルキル基及び特定の親水基を有する化合物である。
【００１３】
Ｒ１ａ−Ａ−Ｂ      （１）
〔式中、Ｒ１ａは３級炭素又は４級炭素を１つ以上有する炭素数７〜１０のアルキル基であり、Ａは−Ｏ−、−ＣＯＯ−、−ＣＯＮＨ−から選ばれる基である。また、Ｂはヒドロキシル基を２〜１０個有する総炭素数３〜１２、好ましくは３〜８の基、もしくは−（Ｒ１ｂＯ）ａ−Ｈ（ここでＲ１ｂは炭素数２又は３のアルキレン基であり、ａは平均付加モル数であり、１〜５の数を示す）から選ばれる基である。〕
Ｒ１ａは、分岐構造を有するアルキル基であり、好ましくは２−エチルヘキシル基、ｉｓｏ−ノニル基、ｉｓｏ−デシル基、２−エチルヘキサノイル基のカルボニル炭素を除いた残基、ｉｓｏ−ノナノイル基のカルボニル炭素を除いた残基、ｉｓｏ−デカノイル基のカルボニル炭素を除いた基が好ましく、特に２−エチルヘキシル基、又は２−エチルヘキサノイル基のカルボニル炭素を除いた残基が最も好適である。
【００１４】
ＡはＲ１ａとＢを連結する基であり、好ましくは−Ｏ−である。Ｂは、具体的には還元糖残基、還元アミノ化糖残基、グリセリンの１つのヒドロキシ基を除いた残基、ポリグリセリン（平均重合度２〜４）の１つのヒドロキシ基を除いた残基、及び−（Ｃ２Ｈ４Ｏ）ｂ−Ｈ（ｂは平均付加モル数であり、２〜５の数を示す）から選ばれる基である。
【００１５】
一般式（１）の化合物の具体的例としては、下記一般式（１−１）〜（１−４）の化合物を挙げることができる。
【００１６】
【化１】
2005171130.tif 000002
【００１７】
Ｒ１ａ−（Ｇ）ｅ                 （１−３）
Ｒ１ａ−（Ｃ２Ｈ４Ｏ）ｆ−Ｈ      （１−４）
〔Ｒ１ａは上記と同一の意味を示す。
ｃは１〜４の数であり、好ましくは１である。
ｄは１〜４の数であり、好ましくは１である。
Ｇは単糖残基、ｅは平均値１〜５、好ましくは１〜３、特に好ましくは１〜２の数を示す。
ｆは平均値２〜５の数を示す。〕
一般式（１−１）の化合物は、２−エチルヘキサノール、ｉｓｏ−ノナノール、ｉｓｏ−デカノールとエピハロヒドリンやグリシドール等のエポキシ化合物を、ＢＦ３等の酸触媒、又はアルミニウム触媒を用いて反応させて製造する方法が一般的である。
【００１８】
一般式（１−１）の化合物としては２−エチルヘキシルモノグリセリルエーテルが好ましく、上記した製造法により製造する方法が一般的であり、特開２００１−４９２９１号公報に記載されているように複数の生成物を含む混合物である。
【００１９】
具体的には、２−エチルヘキシルモノグリセリルエーテルとして、エポキシ化合物の１位に２−エチルヘキサノールが付加した化合物〔化合物１；３−（２−エチルヘキシルオキシ）−１，２−プロパンジオール〕、エポキシ化合物の２位に付加した化合物〔化合物２；２−（２−エチルヘキシルオキシ）−１，３−プロパンジオール〕を挙げることができる。また、副生成物として、前記化合物１又は２に、更にエポキシ化合物が付加した多付加化合物（化合物３）も挙げることができる。
【００２０】
２−エチルヘキシルモノグリセリルエーテルは、化合物３の含有量が好ましくは３０質量％以下、より好ましくは１０質量％以下、特に好ましくは１質量％以下のものが好適である。
【００２１】
一般式（１−２）の化合物は、グリセリンと、好ましくは２−エチルヘキサン酸、ｉｓｏ−ノナン酸、ｉｓｏ−デカン酸（又はこれらの低級アルキルエステル、酸クロライド）とのエステル化反応（又はエステル交換反応）で得ることができる。但し、この場合、モノエステル化体、ジエステル化体、トリエステル化体の混合物が得られる。本発明においては、これら混合物中のモノエステル化体の含量が６０モル％以上、好ましくは８０モル％以上のものを用いる。
【００２２】
一般式（１−３）の化合物において、Ｇは単糖残基であり、炭素数が３〜６個のトリオース、テトロース、ペントース、ヘキソースを挙げることができる。具体的にはアピオース、アラビノース、ガラクトース、グルコース、リキソース、マンノース、グロース、アルドース、イドース、タロース、キシロースを挙げることができる。
【００２３】
本発明では、これらの中でも特に炭素数５又は６のペントース又はヘキソースが好ましく、中でもグルコースが最も好ましい。Ｇとしては上記単糖類が示されるが、製造上これら単糖が２〜５個、好ましくは２又は３個縮合したオリゴ糖を用いても差し支えない。さらには単糖とオリゴ糖が混合したものでもよく、この場合には平均縮合度は１〜５、好ましくは１〜３、特に好ましくは１〜２が好適であり、１〜１．５が最も好ましい。
【００２４】
一般式（１−３）の化合物は、２−エチルヘキサノール、ｉｓｏ−ノナノール、ｉｓｏ−デカノールと上記単糖又はオリゴ糖の還元末端とを、酸触媒を用いてアセタール化反応又はケタール化反応することで容易に合成することができる。
【００２５】
一般式（１−４）の化合物は、２−エチルヘキサノール、ｉｓｏ−ノナノール、ｉｓｏ−デカノールとエチレンオキシドを、アルコール／アルキレンオキシドのモル比１／２〜１／５で反応させて得られ、未反応の２−エチルヘキサノールを含むｆが０〜１０程度の化合物の混合物である。これらは蒸留等の操作を行って、未反応アルコール（ｆ＝０の化合物）及びｆ＞５以上の化合物を除去したものを用いても差し支えない。一般式（１−４）の化合物は、未反応アルコールを５〜５０質量％程度含有し、未反応アルコールを含むｆの平均値が２〜５である化合物が好適である。なお、平均値は、Ｈ１−ＮＭＲを用い、２−エチルヘキシル基のα位のプロトンとオキシエチレン基のプロトンとの積分値で容易に求めることができる。
【００２６】
（ａ）成分としては、特に一般式（１−１）の化合物においてＲ１ａが２−エチルヘキシル基であり、ｃ＝１の化合物、及び一般式（１−３）の化合物においてＲ１ａが２−エチルヘキシル基であり、Ｇがグルコースである化合物が好ましく、一般式（１−１）の化合物においてＲ１ａが２−エチルヘキシル基であり、ｃ＝１の化合物が最も好ましい。
【００２７】
＜（ｂ）成分＞
本発明の（ｂ）成分は、エタノール、プロパノール、エチレングリコール、プロピレングリコールから選ばれる水溶性溶剤である。
【００２８】
（ｂ）成分は、特にエタノール及びプロピレングリコールが好適であり、エタノール及びプロピレングリコールを併用すると、組成物に好ましい粘度挙動を付与できるため好適である。エタノールとプロピレングリコール併用する場合には、質量比（エタノール／プロピレングリコール）で、好ましくは２０／１〜１／１０、より好ましくは１５／１〜１／５である。
【００２９】
＜（ｃ）成分＞
本発明の（ｃ）成分はハイドロトロープ剤である。（ｃ）成分は、炭素数１〜３のアルキル基が１〜３個置換したベンゼンスルホン酸、又はそのアルカリ金属塩、もしくはアルカリ土類金属塩が好適である。具体的にはトルエンスルホン酸、キシレンスルホン酸、クメンスルホン酸を挙げることができ、塩としてはナトリウム、カリウム又はマグネシウム塩が良好である。本発明では、特にｐ−トルエンスルホン酸が良好である。
【００３０】
＜（ｄ）成分＞
本発明の（ｄ）成分は、炭素数１０〜１８の炭化水素基を有する陰イオン界面活性剤であり、好ましい具体例としては炭素数１０〜１５のアルキル基を有するアルキルベンゼンスルホン酸又はその塩、炭素数１０〜１６のモノアルキル硫酸エステル塩、炭素数１０〜１６のアルキル基を有し炭素数２又は３のオキシアルキレン基が平均１．０〜４．０モル付加したポリオキシアルキレンアルキルエーテル硫酸エステル塩、炭素数８〜１６のα−オレフィンスルホン酸塩、α−スルホ脂肪酸（炭素数８〜１６）低級アルキル（炭素数１〜３）エステル塩を挙げることができる。塩としてはナトリウム塩、カリウム塩、マグネシウム塩、アルカノールアミン塩が挙げられ、特に粘度の点からナトリウム塩、カリウム塩、マグネシウム塩が好ましい。
【００３１】
本発明では、特に炭素数１０〜１４のアルキル基を有し、炭素数２又は３のオキシアルキレン基、好ましくはオキシエチレン基が平均１．０〜３．０モル、特に好ましくは１．５〜３．０モル付加したポリオキシアルキレンアルキルエーテル硫酸エステル塩、好ましくはナトリウム塩、カリウム塩、又はマグネシウム塩を用いることが洗浄効果の点から好ましく、また、高濃度の陰イオン界面活性剤を含有する組成物の低温又は高温における貯蔵安定性を改善できるため好ましい。
【００３２】
（ｄ）成分としてポリオキシアルキレンアルキルエーテル硫酸エステル塩を用いる場合、直鎖１−アルケンをヒドロホルミル化して得られたアルコールを原料にして製造された分岐鎖１級アルキル基を有するポリオキシアルキレンアルキルエーテル硫酸エステル塩が好適である。ここで、ヒドロホルミル化とは、鉄、コバルト又はニッケル等のカルボニル錯体を触媒として用い、直鎖１−アルケンに一酸化炭素を付加させてアルコールを得る方法であり、直鎖アルキル基とメチル分岐アルキル基を含有するアルコールが得られる。
【００３３】
ポリオキシアルキレンアルキルエーテル硫酸エステル塩はこのようなアルコールに、更にアルキレンオキシド、好ましくはプロピレンオキシド（以下、ＰＯと表記する）又はエチレンオキシド（以下、ＥＯと表記する）、より好ましくはＥＯを付加させ、更に三酸化イオウ又はクロルスルホン酸でスルホン化し、アルカリ剤で中和して得ることができる。平均付加モル数は、洗浄効果の点から、好ましくは１．０〜３．０、より好ましくは１．５〜３．０、特に好ましくは１．５〜２．５である。中和に用いるアルカリ剤としては、水酸化ナトリウム、水酸化カリウム、水酸化マグネシウム、炭酸ナトリウム、炭酸カリウム、炭酸マグネシウムが好ましく、更に好ましくは水酸化ナトリウム、水酸化カリウム、水酸化マグネシウムである。
【００３４】
このようにして得られたポリオキシアルキレンアルキルエーテル硫酸エステル塩は分岐鎖アルキル基を含むものであり、全ポリオキシアルキレンアルキルエーテル硫酸エステル塩に対するポリオキシアルキレン分岐鎖アルキルエーテル硫酸エステル塩の質量比は５〜８０質量％、更に１０〜７０質量％が優れた洗浄効果を達成するために好ましい。
【００３５】
特にポリオキシアルキレンアルキルエーテル硫酸エステル塩を、組成物中に１０質量％を超えて配合する場合（例えば、１５〜４０質量％の濃度で配合する場合）は、ポリオキシアルキレンアルキルエーテル硫酸エステル塩中のポリオキシアルキレン分岐鎖アルキルエーテル硫酸エステル塩の含有量は、上記含有量の範囲を満たすことが好ましい。ポリオキシアルキレンアルキルエーテル硫酸エステル塩自体は、他の界面活性剤よりもぬるつき感の少ない性質を示すが、アミンオキサイド型界面活性剤との併用によるぬるつき感の上昇とともに、高濃度化による増粘やゲル化によって被洗浄表面に残留しやすくなることから、ぬるつき感の増大が懸念されるが、上記した分岐鎖物の含有量範囲を満たすことにより、ぬるつき感が低減されるので好ましい。
【００３６】
＜（ｅ）成分＞
本発明の（ｅ）成分は、炭素数８〜１８の炭化水素基を有するアミンオキシド型界面活性剤、両性界面活性剤、及びアルカノールアミド型界面活性剤から選ばれる界面活性剤であり、具体的には下記一般式（２）〜一般式（４）の化合物を挙げることができる。
【００３７】
【化２】
2005171130.tif 000003
【００３８】
〔式中、Ｒ２ａは炭素数８〜１６のアルキル基又はアルケニル基であり、Ｒ２ｂは炭素数１〜６のアルキレン基であり、Ｄは−ＣＯＯ−、−ＣＯＮＨ−、−ＯＣＯ−、−ＮＨＣＯ−から選ばれる基である。ｇは０又は１の数であり、Ｒ２ｃ、Ｒ２ｄは、それぞれ炭素数１〜３のアルキル基又はヒドロキシアルキル基である。〕
【００３９】
【化３】
2005171130.tif 000004
【００４０】
〔式中、Ｒ３ａは炭素数９〜１７のアルキル基又はアルケニル基であり、Ｒ３ｂは炭素数１〜６のアルキレン基である。Ｅは−ＣＯＯ−、−ＣＯＮＨ−、−ＯＣＯ−、−ＮＨＣＯ−、−Ｏ−から選ばれる基であり、ｈは０又は１の数である。Ｒ３ｃ、Ｒ３ｄは、それぞれ炭素数１〜３のアルキル基又はヒドロキシアルキル基であり、Ｒ３ｅはヒドロキシ基で置換していてもよい炭素数１〜５のアルキレン基である。Ｆは−ＳＯ3-、−ＯＳＯ3-、−ＣＯＯ-から選ばれる基である。〕
【００４１】
【化４】
2005171130.tif 000005
【００４２】
〔式中、Ｒ４ａ−ＣＯ−は炭素数８〜２０の飽和又は不飽和のアシル基であり、Ｒ４ｂはメチル基、エチル基又は−（Ｃ２Ｈ４Ｏ）ｉ−Ｈである。また、Ｒ４ｃは−（Ｃ２Ｈ４Ｏ）ｊ−Ｈである。ｉ、ｊはそれぞれ０〜５の数であり、ｉ＋ｊは１〜６である。〕
一般式（２）において、Ｒ２ａは、好ましくは炭素数１０〜１４のアルキル基又はアルケニル基であり、特に好ましくはラウリル基（又はラウリン酸残基）及び／又はミリスチル基（又はミリスチン酸残基）である。Ｄは、好ましくは−ＣＯＯ−又は−ＣＯＮＨ−であり、最も好ましくは−ＣＯＮＨ−である。Ｒ２ｂの炭素数は、好ましくは２又は３であり、Ｒ２ｃ、Ｒ２ｄは、好ましくはメチル基である。
【００４３】
本発明では、Ｒ２ａは単独のアルキル（又はアルケニル）鎖長でもよく、異なるアルキル（又はアルケニル）鎖長を有する混合アルキル基（又はアルケニル基）であってもよい。後者の場合には、ヤシ油、パーム核油から選ばれる植物油から誘導される混合アルキル（又はアルケニル）鎖長を有するものが好適である。具体的にはラウリル基（又はラウリン酸残基）／ミリスチル基（又はミリスチン酸残基）のモル比が９５／５〜２０／８０、好ましくは９０／１０〜３０／７０であることが洗浄効果、及び泡立ち性の点から好ましい。
【００４４】
一般式（３）において、Ｒ３ａは、好ましくは炭素数９〜１５、特に９〜１３のアルキル基であり、Ｒ３ｂは、好ましくは炭素数２又は３のアルキレン基である。Ｅは−ＣＯＮＨ−が好ましい。Ｒ３ｃ、Ｒ３ｄは、メチル基、又はヒドロキシエチル基が好ましい。Ｆは−ＳＯ３−、又は−ＣＯＯ−が好ましく、Ｆが−ＳＯ３−の場合にはＲ３ｅは−ＣＨ２ＣＨ(ＯＨ)ＣＨ２−が好ましく、Ｆが−ＣＯＯ−の場合にはＲ３ｅはメチレン基が好ましい。
【００４５】
一般式（４）の化合物において、Ｒ４ａ−ＣＯ−は、炭素数８〜１７の飽和又は不飽和のアシル基が好ましい。好ましい具体的例としては、オクタン酸、デカン酸、ドデカン酸、テトラデカン酸、ヘキサデカン酸、オクタデカン酸、ドコサン酸、リノール酸、２−エチルヘキサン酸、２−オクチルウンデカン酸、イソステアリン酸、オレイン酸から誘導されるアシル基が挙げられ、特に好ましくは、オクタン酸、デカン酸、ドデカン酸、テトラデカン酸、ヘキサデカン酸、オクタデカン酸、オレイン酸から誘導されるアシル基である。
【００４６】
一般式（４）の化合物においてＲ４ｂは、メチル基、エチル基又は−（Ｃ２Ｈ４Ｏ）ｉ−Ｈであり、洗浄効果の持続性の点から好ましくはメチル基又は水素原子（ｉ＝０）である。また、Ｒ４ｃは−（Ｃ２Ｈ４Ｏ）ｊ−Ｈであり、ｊは洗浄効果の持続性の点から好ましくは１〜５、特に好ましくは１〜３の数である。
【００４７】
一般式（４）の化合物の好ましい具体的例としては、一般式（４−１）及び一般式（４−２）を挙げることができる。
【００４８】
【化５】
2005171130.tif 000006
【００４９】
〔式中、Ｒ４ｂ及びｊは上記と同じ意味である。〕
＜その他の成分＞
本発明では、（ｄ）成分の乳化力を向上させ、洗浄効果を強化する目的からマグネシウム〔以下、（ｆ）成分という〕を配合することが好ましく、マグネシウムは塩又は遊離したイオンとして系中に存在するものであり、（ｄ）成分の対イオンとして配合してもよく、また水溶性のマグネシウム化合物として配合することができる。水溶性マグネシウム化合物としては、化学便覧基礎編II（改定３版），１６６頁，表８．４２、及び１９０頁，表８．４７に記載のマグネシウム化合物において２０℃における水への溶解度が１ｇ／１００ｇ以上、好ましくは１０ｇ／１００ｇ以上の化合物が好適である。これらの中でも本発明では、硫酸マグネシウム、塩化マグネシウム、炭酸マグネシウム、硝酸マグネシウム、酢酸マグネシウムが最も好適である。
【００５０】
本発明では洗浄力を強化する目的から（ｄ）成分及び（ｅ）成分以外の界面活性剤〔以下、（ｇ）成分という〕を含有することが好ましく、特に（ｅ）成分以外の非イオン界面活性剤を併用することが好適である。
【００５１】
（ｇ）成分の好ましい非イオン界面活性剤としては、下記一般式（５）の化合物を挙げることができる。
【００５２】
Ｒ５ａ−Ｏ−(Ｒ５ｂＯ)ｋ−Ｈ      （５）
〔式中、Ｒ５ａは、炭素数１１〜１８、好ましくは１１〜１５のアルキル基又はアルケニル基であり、Ｒ５ｂは炭素数２又は３のアルキレン基、好ましくはエチレン基である。ｋは６〜１００、好ましくは６〜２０の数を示す。〕
＜液体洗浄剤組成物＞
本発明の液体洗浄剤組成物は、上記（ａ）成分〜（ｅ）成分、及び所望により（ｆ）成分及び（ｇ）成分等を含有する、２０℃における粘度が７０ｍＰａ・ｓを超え、２００ｍＰａ・ｓ未満のものであり、好ましくは７０〜２００ｍＰａ・ｓ、より好ましくは８０〜１８０ｍＰａ・ｓのものである。
【００５３】
また、高い洗浄力と洗浄力の持続性を付与する目的から、組成物を水で希釈した場合の２０℃における粘度と未希釈の組成物の２０℃における粘度との粘度比が、希釈濃度１００％未満〜希釈濃度３０％以上の範囲内において、好ましくは０．７〜１．３、より好ましくは０．８〜１．２、特に好ましくは０．９〜１．２の範囲である粘度特性を有する組成物が好ましい。
【００５４】
本発明者らは、特許文献１に希釈濃度１０〜６０質量％の範囲内に粘度の最大値が存在する液体洗浄剤が、優れた洗浄力と洗浄力の持続性を実現できることを開示しているが、本発明の組成物は、（ａ）成分を含有し、（ａ）、（ｂ）及び（ｃ）成分の合計含有量を所定量にすることにより、所定範囲で希釈した場合にも殆ど粘度変化が生じることがないという特有の粘度挙動を示し、高い洗浄力と洗浄力の持続性を付与でき、洗浄時や濯ぎ時のぬるつきを改善できる点で、特許文献１にはない要件を含むことによる優れた効果を有するものである。
【００５５】
本発明でいう粘度は、以下のようにして測定する。まずＴＯＫＩＭＥＣ.ＩＮＣ製Ｂ型粘度計モデルＢＭに、ローター番号Ｎｏ.２のローターを備え付けたものを準備する。試料をトールビーカーに充填し２０℃の恒温槽内にて２０℃に調製する。恒温に調製された試料を粘度計にセットする。ローターの回転数を６０ｒ／ｍに設定し、回転を始めてから６０秒後の粘度を本発明の粘度とする。 
【００５６】
また、本発明において希釈濃度とは、液体洗浄剤組成物を水で希釈する場合の液体洗浄剤組成物の濃度を指す。例えば希釈濃度４０質量％とは、液体洗浄剤４０重量部と水６０重量部を混合した場合の状態を指す。 
【００５７】
本発明の液体洗浄剤組成物中における（ａ）〜（ｅ）成分の含有量は、以下のとおりである。
【００５８】
（ａ）成分の含有量は、洗浄時や濯ぎ時のぬるつき改善の点から、０．１〜１０質量％、好ましくは０．３〜７質量％、より好ましくは０．５〜５質量％である。
【００５９】
（ｂ）成分の含有量は、上記した特有の粘度挙動を得るため、２〜１５質量％、好ましくは３〜１２質量％、より好ましくは５〜１０質量％である。
【００６０】
（ｃ）成分の含有量は、上記した特有の粘度挙動を得るため、１〜６質量％、好ましくは１〜５質量％、より好ましくは１．５〜４質量％である。
【００６１】
また、（ａ）成分、（ｂ）成分、及び（ｃ）成分の合計含有量は、上記した特有の粘度挙動を得るため、１４質量％を超え、２０質量％以下であり、好ましくは１５〜２０質量％、より好ましくは１６〜２０質量％である。
【００６２】
更に、上記した特有の粘度挙動を得るため、（ａ）〜（ｃ）成分を（ａ）成分／〔（ａ）成分＋（ｂ）成分＋（ｃ）成分〕で定められる質量比で、好ましくは１／１０〜１／２、より好ましくは１／７〜１／４となるように含有することができる。
【００６３】
更に、上記した特有の粘度挙動を得るため、（ｂ）及び（ｃ）成分を（ｂ）成分／（ｃ）成分で定められる質量比で、好ましくは１０／１〜１／１、より好ましくは７／１〜２／１となるように含有することができる。
【００６４】
本発明では（ｄ）成分及び（ｅ）成分が洗浄基剤であり、高い洗浄力を得る目的から、（ｄ）成分の含有量は５〜５０質量％、好ましくは１０〜４５質量％、より好ましくは１０〜４０質量％であり、（ｅ）成分の含有量は、０．１〜３０質量％、好ましくは０．５〜２０質量％、より好ましくは１〜１５質量％である。
【００６５】
更に、洗浄力の観点から、（ｄ）及び（ｅ）成分を（ｄ）成分／（ｅ）成分で定められる質量比で、好ましくは３０／１〜１／５、より好ましくは１０／１〜１／３、最も好ましくは５／１〜１／２となるように含有することができる。
【００６６】
本発明の（ｆ）成分は任意ではあるが、（ｄ）成分との相互作用により高い洗浄効果を得ることができ、更に（ａ）成分と併用することで、ぬるつきをより低減化できるため含有することが好ましい。
【００６７】
本発明では（ｆ）成分をマグネシウムとして０．０１〜２質量％、更に０．０５〜１質量％、特に０．１〜１質量％含有することが好ましい。また、（ｄ）成分と（ｆ）成分を（ｄ）成分／（ｆ）成分（マグネシウムとして）で定められるモル比で、好ましくは３００／１〜１／１、より好ましくは１００／１〜１／１、特に好ましくは５０／１〜２／１となるように含有することができる。
【００６８】
本発明では、（ｇ）成分は洗浄効果の増強、及び貯蔵安定性を改善する目的から含有することが好ましいが、多量配合は食器洗浄時のぬるつきを助長し、（ａ）成分、及び（ｄ）成分の効果を減じる傾向にある。このために組成物中の（ｆ）成分の含有量は、０．１〜２０質量％、更に０．５〜１５質量％、特に１．０〜１５質量％が好適である。
【００６９】
本発明では、界面活性剤の合計含有量を２０〜６０質量％、好ましくは２５〜５０質量％、特に３０〜４５質量％にすることが、高い洗浄力を得る目的から好ましい。
【００７０】
本発明の組成物は、上記成分を水に溶解又は分散させた液状の形態であり、水の含有量は貯蔵安定性の点から、好ましくは２０〜６０質量％、より好ましくは３０〜６０質量％、更に好ましくは４０〜６０質量％、特に好ましくは４５〜５５質量％である。
【００７１】
本発明の組成物は、２０℃におけるｐＨを６〜８、好ましくは６．５〜７．５にすることが貯蔵安定性や皮膚への安全性の点から好ましい。ｐＨ調整剤としては、塩酸や硫酸など無機酸や、クエン酸、コハク酸、リンゴ酸、フマル酸、酒石酸、マロン酸、マレイン酸などの有機酸などの酸剤や、水酸化ナトリウムや水酸化カリウム、アンモニアやその誘導体、モノエタノールアミンやジエタノールアミン、トリエタノールアミンなどのアミン塩など、炭酸ナトリウム、炭酸カリウムなどのアルカリ剤を、単独もしくは複合して用いることが好ましく、特に塩酸、硫酸、クエン酸から選ばれる酸と水酸化ナトリウムや水酸化カリウムから選ばれるアルカリ剤を用いることが好ましい。いずれの化合物も、粘度特性に対し大きな影響のない範囲で配合される。
【００７２】
その他の成分としては、粘度特性に影響のない限り、通常液体洗浄剤に配合されている成分、例えば、香料成分、除菌成分、防腐剤、濁り剤、着色剤を配合することができる。
【００７３】
本発明の液体洗浄剤組成物は、食器、調理器具の洗浄、台所回りの洗浄など、硬質表面用（特に台所用）の液体洗浄剤組成物として好適である。
【００７４】
本発明の液体洗浄剤組成物は、スポンジ等の可撓性材料（好ましくは水を含む）に染み込ませ、直接食器や調理用器具等の硬質表面に接触させて洗浄を行う方法において、泡立ち性及び泡の持続性に優れ、洗浄時の食器や調理用器具のぬるつきを抑制することができ、濯ぎ時にはぬるつきが速やかに除去できる。
【実施例】
【００７５】
表１、表３に示す成分を用いて液体洗浄剤組成物を調製した。これら組成物の感触、洗浄力を下記の方法で評価した。結果を表１に示す。また、下記方法により、表１の実施例１、比較例１、２の粘度挙動を測定し、図１に示す。表２に本発明の効果を有する台所用液体洗浄剤組成物の配合例を示す。
【００７６】
＜感触評価＞
サラダ油に０．１質量％の色素（スダンレッド）を均一に混ぜ込んだモデル油汚れ１ｇを陶器皿に均一に塗り広げ、更に水道水５ｇをのせたものをモデル汚染食器とした。
【００７７】
市販の新品スポンジ（可撓性吸収体、キクロン）を水道水でもみ洗いし、水道水の含有量が１０ｇになるまで絞った後、表１の組成物１．５ｇと水道水２０ｇを染み込ませる。モデル汚染食器上で上記スポンジを２〜３回手でもみ泡立たせた後、モデル汚染食器５枚を擦り洗いし、洗っている最中のぬるつきを下記基準で官能評価を行った。次に、擦り洗いしたモデル汚染食器を水道水で濯ぎ、濯ぎ最中のぬるつきのとれやすさを下記基準で官能評価を行った。
【００７８】
〔洗浄時のぬるつきの基準〕
○：あまりぬるつかない。
△：ややぬるつく。
×：非常にぬるつく。
【００７９】
〔すすぎ時のぬるつきのとれやすさの基準〕
○：すぐにぬるつきがとれる。
△：ぬるつきがとれるまでにやや時間がかかる。
×：ぬるつきがとれるまでに時間がかかる。
【００８０】
＜洗浄力試験＞
サラダ油に０．１質量％の色素（スタンレッド）を均一に混ぜ込んだモデル油汚れ１ｇをポリプロピレン製の皿に均一に塗り広げ、更に水道水５ｇをのせたものをモデル汚染食器とした。
【００８１】
市販の新品スポンジ（可撓性吸収体、キクロン）を水道水でもみ洗いし、水道水の含有量が１０ｇになるまで絞った後、表１の組成物１ｇと水道水２０ｇを染み込ませる。モデル汚染食器上で上記スポンジを２〜３回手でもみ泡立たせた後、モデル汚染食器を擦り洗いし、洗浄（食器に付着した色が消えることにより確認）できた皿の枚数を求めた。
【００８２】
＜粘度挙動＞
まず、図１に示す所定の希釈濃度になるように液体洗浄剤組成物にイオン交換水を加え、均一になるまで十分混合して希釈液を調製した。なお、希釈濃度とは、液体洗浄剤組成物を水で希釈する場合の液体洗浄剤組成物の濃度を指し、例えば希釈濃度４０質量％とは、液体洗浄剤組成物４０質量部と水６０質量部を混合した場合の状態を指す。
【００８３】
次に、希釈液をしばらく静置して、混合の際に混入した気泡を消失させた後にトールビーカーに移し、未希釈の液体洗浄剤組成物をトールビーカーに入れたものも用意した。その後、各トールビーカーを２０℃の恒温槽内に浸漬し、液温を２０℃に調整して、希釈液及び未希釈の組成物の液温が２０℃になるまで放置した。
【００８４】
各希釈濃度における粘度は、ＴＯＫＩＭＥＣ.ＩＮＣ製Ｂ型粘度計モデルＢＭに、ローター番号Ｎｏ.２のローターを取り付け、上記トールビーカーを粘度計にセットし、ローターの回転数を６０ｒ／ｍに設定し、回転を始めてから６０秒後の粘度を測定した。
【００８５】
【表１】
2005171130.tif 000007
【００８６】
【表２】
2005171130.tif 000008
【００８７】
（注）表中の記号は以下のものを表す。
・ＧＥ−２ＥＨ：２−エチルヘキシルモノグリセリルエーテル（モノグリセリルエーテル９９質量％以上）
・ＭＧ−２ＥＨ：２−エチルヘキサン酸モノグリセライド（ジグリセライド、トリグリセライドの混合物、グリセライド中のモノグリセライドの含有量は８０％）
・ＡＧ−２ＥＨ：アルキル基が２−エチルヘキシル基であるアルキルグリコシド、グルコースの平均縮合度は１．３
・ＥＯ−２ＥＨ：ポリエチレングリコール２−エチルヘキシルエーテル、エチレングリコール平均付加モル数４
・ＰＧ：プロピレングリコール
・ｐ−ＴＳ：ｐ−トルエンスルホン酸ナトリウム
・ＥＳ−Ｉ：ポリオキシエチレンアルキルエーテル硫酸エステルナトリウム〔原料アルコールは、１−デセン及び１−ドデセン５０／５０（質量比）を原料にヒドロホルミル化して得られたアルコールである。このアルコールにＥＯを平均２モル付加させた後、三酸化イオウにより硫酸化し、水酸化ナトリウムで中和した。全ポリオキシエチレンアルキルエーテル硫酸エステルナトリウム中の全ポリオキシエチレン分岐鎖アルキルエーテル硫酸エステルナトリウムの割合は４２質量％であった。〕
・ＡＯ−I：Ｎ−ラウリル−Ｎ，Ｎ−ジメチルアミンオキシド
・ＡＯ−II：Ｎ−デシル−Ｎ，Ｎ−ジメチルアミンオキシド／Ｎ−ラウリル−Ｎ，Ｎ−ジメチルアミンオキシド／Ｎ−ミリスチル−Ｎ，Ｎ−ジメチルアミンオキシド＝２５／５０／２５（質量比）
・ＡＯ−III：Ｎ−ラウリン酸アミドプロピル−Ｎ，Ｎ−ジメチルアミンオキシド
・スルホベタイン：Ｎ−ラウリル−Ｎ，Ｎ−ジメチル−Ｎ−（２−ヒドロキシ−１−スルホプロピル）アンモニウムスルホベタイン
・ノニオン−Ｉ：炭素数１２、１３混合アルキル２級アルコールに、ＥＯを平均７モル付加させたもの（ソフタノール７０Ｈ、日本触媒株式会社製）
・ノニオン−II：炭素数１２、１３混合アルキル２級アルコールに、ＥＯを平均７モル付加させたもの（ソフタノール７０Ｈ，日本触媒（株）製）
・ノニオン−III：アルキル基の組成が炭素数１２／炭素数１４＝６０／４０（モル比）混合アルキルで、グルコシド平均縮合度１．５のアルキルグルコシド
・ＰＰＧ１０００：重量平均分子量１０００のポリプロピレングリコール
・ＧＬＹ１０００：グリセリンのエチレンオキシド付加物，重量平均分子量１０００
・香料：表３示す香料成分
・ｐＨ：１Ｎ−硫酸水溶液又は１Ｎ−水酸化ナトリウムを用いて調整した。
【００８８】
【表３】
2005171130.tif 000009
【図面の簡単な説明】
【００８９】
【図１】実施例１及び比較例１、２の粘度挙動を示す図面。
【図１】
2005171130.tif 000010